(57)【要約】【課題】本発明は、構成が簡単でコンパクトになり、かつコストの安い検体分析装置を提供すること。【解決手段】本発明は、比色用検体を分析する比色分析部と、電解質用検体の分析を行う電解質分析部とを有し、比色分析部は測定光が透過するところに比色用検体を流通させるフローセルと、電解質用検体を流通させる保温セルと、フローセル、および保温セルを所定の温度に保つ比色分析用の熱源とを備え、電解質分析部は電解質用検体を流通させる電解質測定用の電極と、電解質測定用の電極、所定の温度に保つ電解質分析用の熱源とを備えることを特徴とする。【選択図】図１
2007064879.tif 000002
【特許請求の範囲】
【請求項１】
前処理済みの比色用検体を分析する比色分析部と、電解質用検体の分析を行う電解質分析部とを有し、
前記比色分析部は、測定光が透過するところに前記比色用検体が流通するフローセルを備え、
前記電解質分析部は、前記電解質用検体を流通させる測定の電極を備えることを特徴とする検体分析装置。
【請求項２】
前処理済みの比色用検体を分析する比色分析部と、電解質用検体の分析を行う電解質分析部とを有し、
前記比色分析部は、測定光が透過するところに前記比色用検体を流通させるフローセルと、前記電解質用検体を流通させる保温セルと、前記フローセル、および保温セルを所定の温度に保つ比色分析用の熱源とを備え、
前記電解質分析部は、前記電解質用検体を流通させる電解質測定用の電極と、前記電解質測定用の電極、所定の温度に保つ電解質分析用の熱源とを備えることを特徴とする検体分析装置。
【請求項３】
請求項２記載の検体分析装置において、
前記電解質分析部は、リファレンス試料を流通させる試料測定用の電極を備え、
前記電解質分析用の熱源は、リファレンス試料の保温もすることを特徴とする検体分析装置。
【請求項４】
請求項２記載の検体分析装置において、
前記比色分析部は、銅を含む熱伝導性の良好な金属材で形成された比色分析用の保温ブロックを有し、
前記保温セル、および前記フローセルは、前記比色分析用の保温ブロックに内置され、
前記電解質分析部は、銅を含む熱伝導性の良好な金属材で形成された電解質分析用の保温ブロックを有し、
前記電解質測定用の電極は、前記電解質分析用の保温ブロックに内置されることを特徴とする検体分析装置。
【請求項５】
請求項３記載の検体分析装置において、
前記比色分析部は、銅を含む熱伝導性の良好な金属材で形成された比色分析用の保温ブロックを有し、
前記保温セル、および前記フローセルは、前記比色分析用の保温ブロックに内置され、
前記電解質分析部は、銅を含む熱伝導性の良好な金属材で形成された電解質分析用の保温ブロックを有し、
前記電解質測定用の電極、および前記試料測定用の電極は、前記電解質分析用の保温ブロックに内置されることを特徴とする検体分析装置。
【請求項６】
請求項４または５記載の検体分析装置において、
前記比色分析用の熱源、および前記電解質分析用の熱源をペルチェ素子で形成し、
前記ペルチェ素子を前記比色分析用の保温ブロックと、前記電解質分析用の保温ブロックの外面にそれぞれ接合させたことを特徴とする検体分析装置。
【請求項７】
前処理済みの比色用検体を分析する比色分析部と、電解質用検体の分析を行う電解質分析部と、三方流通切替電磁弁とを有し、
前記比色分析部は、測定光が透過するところに前記比色用検体を流通させるフローセルと、前記電解質用検体を流通させる保温セルとを備え、
前記電解質分析部は、前記電解質用検体を流通させる電解質測定用の電極を備え、
前記保温セルの下流側に前記電解質測定用の電極を連通し、
前記フローセルの下流側を前記三方流通切替電磁弁の一方の流入口側に連通させ、前記電解質測定用の電極の下流側を前記三方流通切替電磁弁の他方の流入口側に連通させたことを特徴とする検体分析装置。
【請求項８】
前処理済みの比色用検体を分析する比色分析部と、電解質用検体の分析を行う電解質分析部と、上流側の三方流通切替電磁弁と、前記上流側の三方流通切替電磁弁の下流側に来る下流側の三方流通切替電磁弁とを有し、
前記比色分析部は、測定光が透過するところに前記比色用検体を流通させるフローセルと、前記電解質用検体を流通させる保温セルとを備え、
前記電解質分析部は、前記電解質用検体を流通させる電解質測定用の電極と、リファレンス試料を流通させる試料測定用の電極とを備え、
前記保温セルの下流側に前記電解質測定用の電極を連通し、
前記フローセルの下流側を前記上流側三方流通切替電磁弁の一方の流入口側に連通させ、前記電解質測定用の電極の下流側を前記上流側三方流通切替電磁弁の他方の流入口側に連通させ、
前記上流側三方流通切替電磁弁の流出口側を前記下流側三方流通切替電磁弁の流入口側にさせたことを特徴とする検体分析装置。
【請求項９】
請求項７または８記載の検体分析装置において、
吸引するポンプが前記上流側三方流通切替電磁弁の流出口側または前記下流側三方流通切替電磁弁の流出口側に連通することを特徴とする検体分析装置。
【請求項１０】
請求項６記載の検体分析装置において、
銅を含む熱伝導性の良好な金属板で取り付けベースを備え、
前記ペルチェ素子を介して前記比色分析用の保温ブロックと、前記電解質分析用の保温ブロックを取り付けベースに支持することを特徴とする検体分析装置。
【請求項１１】
請求項１０記載の検体分析装置において、
前記比色分析部は、前記比色分析用の保温ブロックを着脱自在に取り付ける蓋体を有し、
前記フローセルを透過する前記測定光の光通過孔を前記取り付けベース、前記電解質分析用の保温ブロック、前記蓋体に設けたことを特徴とする検体分析装置。
【発明の詳細な説明】
【技術分野】
【０００１】
本発明は血液、尿等の生体サンプルの分析を行なう検体分析装置に関する。
【背景技術】
【０００２】
分光光度計を用いた検体分析装置は、例えば、特開平１０−２８１９８７号公報（特許文献１）に示されている。
【０００３】
また、電解質分析部を有する検体分析装置は、例えば、特開平８−６２１７９号公報（特許文献２）に示されている。
【０００４】
従来の分光光度計を用いた検体分析装置での測定項目は比色検体の測定のみであった。
【０００５】
分光光度計の位置づけは自動分析装置の停止時にバックアップ用として使用される。又は自動分析装置のリファレンスとして使用されることが多く、バックアップ用として使用するユーザから比色検体測定のみでなく、電解質分析の測定をすることができることが以前から熱望されていた。
【０００６】
【特許文献１】特開平１０−２８１９８７号公報
【特許文献２】特開平８−６２１７９号公報
【発明の開示】
【発明が解決しようとする課題】
【０００７】
分光光度計を用いた検体分析装置は、比色検体の測定に限られており、電解質分析を測定が出来ないと言う問題があった。
【０００８】
また、分光光度計を用いた検体分析装置では検体を保温する方式がある。この保温方式では、検体を流通させるフローセルが内臓される保温ブロックをペルチェ素子（熱源）で温度コントロールしてきた。
【０００９】
分光光度計を用いた検体分析装置に電解質分析の機能を設けるとすると、別に電解質分析用検体の温度制御や、検体を吸引させる方法及び流路を別に行う必要があり、構成が複雑でコストがかかり、装置の外形寸法も大きくなり設置場所等の面積を考慮しなくてはならなかった。
【００１０】
本発明は、上記の問題に対処し、分光光度計を用いた検体分析に加え、電解質分析の機能を併せて有する検体分析装置を提供することを目的とする。
【００１１】
また、本発明は、構成が簡単でコンパクトになり、コストの低減が図られる検体分析装置を提供することを目的とする。
【課題を解決するための手段】
【００１２】
本発明は、比色用検体を分析する比色分析部と、電解質用検体の分析を行う電解質分析部とを有し、比色分析部は測定光が透過するところに比色用検体が流通するフローセルを備え、電解質分析部は電解質用検体を流通させる測定の電極を備えることを特徴とする。
【００１３】
また、本発明は、比色用検体を分析する比色分析部と、電解質用検体の分析を行う電解質分析部とを有し、比色分析部は測定光が透過するところに比色用検体を流通させるフローセルと、電解質用検体を流通させる保温セルと、フローセル、および保温セルを所定の温度に保つ比色分析用の熱源とを備え、電解質分析部は電解質用検体を流通させる電解質測定用の電極と、電解質測定用の電極、所定の温度に保つ電解質分析用の熱源とを備えることを特徴とする。
【発明の効果】
【００１４】
本発明によれば、分光光度計を用いた検体分析と、電解質分析の検体分析を行なうことができる。
【００１５】
また、本発明によれば、構成が簡単でコンパクトになり、かつコストの安い検体分析装置を提供できる。
【発明を実施するための最良の形態】
【００１６】
以下、本発明の実施例を図1、図２、図３、図４を用いて説明する。
【００１７】
図1に示すように、光源ランプ１からの測定光２４はミラーＡ２、スリット３を介しグレーティング４に照射され分光される。
【００１８】
グレーティング４は、パルスモータにより回され、分析に必要な波長を任意に選択できる。グレーティング４より分光された測定光２４がスリット３を介しミラーＢ５に照射されハーフミラー６に照射され、セル用検知器１６側と、リファレンス用検知器１７側に分光される。
【００１９】
測定光による測定は、セル用検知器１６とリファレンス用検知器１７との比較により行う。
【００２０】
比色分析部１００は、検体の分析が分光光度計測により行なわれる。電解質分析部２００は、検体の分析が電解質分析により計測される。
【００２１】
比色分析部について、図３、図４を加えて説明する。
【００２２】
比色分析部１００は、保温ブロック７、保温セル８、フローセル９、ペルチェ素子Ａ（熱源）１０、蓋体５０を有する。
【００２３】
保温ブロック７は、銅を含む熱伝導性の良好な金属材料で形成されている。保温ブロック７は保温セル８が嵌め込まれる保温セル収納窪７０、フローセル９が嵌め込まれるフローセル収納窪７１を有する。
【００２４】
保温セル８を保温セル収納窪７０に、フローセル９をフローセル収納窪７１に収納し、蓋体５０を保温ブロック７に取り付け、ネジ７２をすることにより、保温セル８とフローセル９は、保温ブロック７の内部に収納保持される。
【００２５】
フローセル９は石英で形成され、検体を流通する検体流通孔７３が貫通するように形成されている。フローセル９には、検体流通孔７３に交差するように測定光が透過される。
【００２６】
保温ブロック７は、フローセル収納窪７１の奥側に光通過孔７４を有する。蓋体５０もフローセル９に対向するところに光通過孔７５を有する。この光通過孔７４、７５を通じてフローセル９に測定光の透過が行なわれる。
【００２７】
保温セル８は石英で形成され、検体を流通する検体流通孔７６が貫通するように形成されている。
【００２８】
保温セル８の上流側には、接続具７７を用いて電解質用チューブ１５が連通するように接続される。保温セル８の下流側には、接続具７９を用いて電解質用チューブ１５が連通するように接続される。
【００２９】
フローセル９の上流側には、接続具８１を用いて比色用チューブ８２が連通するように接続される。フローセル９の下流側には、接続具８３を用いて比色用チューブ８４が連通するように接続される。
【００３０】
ペルチェ素子Ａ（熱源）１０は、保温ブロック７の外表面（蓋体５０の反対側外表面）に接合される。この保温ブロック７は、ペルチェ素子Ａ（熱源）１０に取り付けベース２３の立上部８５に固定支持される。取り付けベース２３は、銅を含む熱伝導性の良好なる金属材料で形成されている。
【００３１】
取り付けベース２３の立上部８５は、光通過孔７５と対向するところに光通過孔８６を有する。測定光は、光通過孔８６、光通過孔７５を介してフローセル９に導かれる。立上部８５は、取り付けベース２３に対し、直角に立っているので、比色分析部１００も立った状態に置かれる。
【００３２】
電解質分析部２００は電極ブロック２１と、電解質電極１１と、リファレンス電極２０と、パルチェ素子（熱源）２２を有する。
【００３３】
電極ブロック２０は、銅を含む熱伝導性の良好な金属材料で形成されている。電極ブロック２０の内部には、電解質電極１１とリファレンス電極２０が収納され、保温される。
【００３４】
パルチェ素子（熱源）２２は、電極ブロック２０の底側の外表面に接合している。このパルチェ素子（熱源）２２を介して電極ブロック２０は、取り付けベース２３に固定支持される。
【００３５】
電解質分析部２００は、取り付けベース２３に取り付け固定され、比色分析部１００は立上部８５に取り付け固定されるので、電解質分析部２００と比色分析部１００は取り付け向きが９０度変えられている。このため、各種チューブの配置の自由度が広がる。
【００３６】
二つの三方流通切替電磁弁Ａ１２（上流側三方流通切替電磁弁）、三方流通切替電磁弁Ｂ１９（下流側三方流通切替電磁弁）は、取り付けベース２３に固定支持される。
【００３７】
三方流通切替電磁弁Ａ１２は上流側に、三方流通切替電磁弁Ｂ１９は下流側になる。
【００３８】
保温セル８の下流側は、電解質用チューブ１５を介して電解質電極２１の上流側に連通する。リファレンス電極２０の上流側には、リファレンスチューブ１８が連通するように接続される。
【００３９】
フローセル９の下流側は、比色チューブ１４を介して三方流通切替電磁弁Ａ１２（上流側三方流通切替電磁弁）の一方の流入口１２ａに連通される。三方流通切替電磁弁Ａ１２（上流側三方流通切替電磁弁）の一方の流入口１２ｂに、電解質電極２１の下流側が電解質用チューブ１５を介して連通される。
【００４０】
三方流通切替電磁弁Ａ１２（上流側三方流通切替電磁弁）の流出口１２Ｃは、上流側排出チュー８７を介して三方流通切替電磁弁Ｂ１９（下流側三方流通切替電磁弁）の一方の流入口１９ａに連通される。
【００４１】
リファレンス電極２０の下流側は、リファレンスチューブ１８を介して三方流通切替電磁弁Ｂ１９（下流側三方流通切替電磁弁）の他方の流入口１９ｂに連通される。
【００４２】
三方流通切替電磁弁Ｂ１９（下流側三方流通切替電磁弁）の流出口１９ｃは、下流側排出チュー８８を介して吸引用のポンプ１３の吸込口側に連通される。ポンプ１３の排出口側に排出チュー８９に接続される。
【００４３】
上述したように検体分析装置は、取り付けベース２３に、比色分析部１００、電解質分析部２００、三方流通切替電磁弁Ａ１２（上流側三方流通切替電磁弁）、三方流通切替電磁弁Ｂ１９（下流側三方流通切替電磁弁）を配置した。このような構成の検体分析装置により、分光光度計を用いた検体分析と、電解質分析の検体分析を行なうことができる。
【００４４】
また、比色分析部１００は、測定光が透過するところに前記比色用検体を流通させるフローセル９と、電解質用検体を流通させる保温セル８と、フローセル９、および保温セル８を所定の温度に保つ比色分析用の熱源とを備えている。この保温セル８により、電解質分析部２００の電解質電極１１で分析測定される電解質検体が３７（±０．１）度程度に予備加熱される。
【００４５】
この予備加熱を従来は、専用の予備加熱源を設けて行なっていた。本発明の実施例では比色分析部１００に電解質用検体を加熱する保温セル８を設けることにより、専用の予備加熱源を省略できる。これにより、構成が簡単でコンパクトになり、かつコストの安い検体分析装置を提供できる。
【００４６】
次に本発明の実施例を動作の面から説明する。
【００４７】
ペルチェ素子Ａ１０は保温ブロック７と取り付けベース２３に直接接触させ、ペルチェ素子Ｂ２２は電極ブロック２１と取り付けベース２３に直接接触させられている。保温ブロック７、取り付けベース２３、電極ブロック２１は熱伝導性が良く、ペルチェ素子Ａ１０、Ｂ２２の温度応答時間が短縮され、安定した温度制御が行なわれる。
【００４８】
比色検体測定の場合は、三方流通切替電磁弁Ａ１２（上流側三方流通切替電磁弁）が一方の流入口１２ａにセットされ、三方流通切替電磁弁Ｂ１９（下流側三方流通切替電磁弁）が一方の流入口１９ａにセットされる。
【００４９】
ポンプ１３の吸引により、フローセル９に比色用検体が満たされ、比色検体測定が行なわれる。比色検体測定は、光通過孔８６、光通過孔７４、フローセル、光通過孔７５を通過した測定光をセル用検知器１６で受光して行なわれる。セル用検知器１６の測定は、フローセル９内の検体温度が安定した後に行なわれる。
【００５０】
電解質測定は、リファレンス電極２０と電解質電極１１との電位差により測定を行う。
【００５１】
リファレンス電極２０での測定は、三方流通切替電磁弁Ｂ１９（下流側三方流通切替電磁弁）を他方の流入口１９ｂにセットする。ポンプ１３の吸引により、リファレンスチューブ１８を通じてリファレンス試薬がリファレンス電極２０に満たされ、測定が行なわれる。測定値は電圧値として求められる。
【００５２】
電解質電極１１での測定は、三方流通切替電磁弁Ｂ１９（下流側三方流通切替電磁弁）を一方の流入口１９ａにセットする。また、三方流通切替電磁弁Ａ１２（上流側三方流通切替電磁弁）を他方の流入口１２ｂにセットする。ポンプ１３の吸引により、電解質用検体が電解質電極１１に満たされ、測定が行なわれる。測定値は電圧値として求められる。
【００５３】
リファレンス電極２０と電解質電極１１の電位差より電解質の測定が行なわれるのである。
【００５４】
電解質電極１１での測定では、電解質用検体が電解質分析部２００に設けられたペルチェ素子Ｂ２２（熱源）で加熱される。しかし、電解質用検体は、保温ブロック７で予め所定の温度に加熱されているため、ペルチェ素子Ｂ２２（熱源）による温度の加熱調整は速やかに行なわれる。
【００５５】
このため、電解質電極１１での電解質用検体の測定は直ちに行なわれ、測定時間の短縮化が図られるのである。
【図面の簡単な説明】
【００５６】
【図１】本発明の実施例に係わるもので、検体分析装置の全体概要を示す図。
【図２】本発明の実施例に係わるもので、比色分析部、電解質分析部、二つの三方流通切替電磁弁が取り付けベースに配置支持されたところを示す図。（ａ）は上から見たところを示す。（ｂ）は前から見たところを示す。
【図３】本発明の実施例に係わるもので、図２のＸ−Ｘ断面図。
【図４】本発明の実施例に係わるもので、比色分析部の分解図。
【符号の説明】
【００５７】
１…光源ランプ、２…ミラーＡ、３…スリット、４…グレーティング、５…ミラーＢ、６…ハーフミラー、７…保温ブロック、８…保温セル、９…フローセル、１０…ペルチェ素子Ａ、１１…電解質電極、１２…三方流通切替電磁弁Ａ、１３…ポンプ、１４…比色チューブ、１５…電解質チューブ、１６…セル用検知器、１７…リファレンス用検知器、１８…リファレンスチューブ、１９…三方流通切替電磁弁Ｂ、２０…リファレンス電極、２１…電極ブロック、２２…ペルチェ素子Ｂ、２３…ベース、２４…測定光、１００…比色分析部、２００…電解質分析部。
【図１】
2007064879.tif 000003
【図２】
2007064879.tif 000004
【図３】
2007064879.tif 000005
【図４】
2007064879.tif 000006